(57)【特許請求の範囲】
【請求項１】
基端寄りの基側湾曲部とそれより曲率半径の小さな先端寄りの先側湾曲部とを有する滑らかなカーブの湾曲部が先端部分付近に形成された外套管と、
上記外套管内に進退自在に挿通された自然状態では真っ直ぐの可撓性と弾力性のある合成樹脂製チューブからなる送液チューブと、
上記送液チューブの先端を切り削いで形成された針部と、
上記送液チューブ内に液体を送り込むために上記送液チューブの基端側に設けられた液体注入口と
を設けたことを特徴とする内視鏡用注射具。
【請求項２】
上記先側湾曲部と基側湾曲部の湾曲方向が同方向である請求項１記載の内視鏡用注射具。
【請求項３】
上記先側湾曲部と基側湾曲部の湾曲方向が逆方向である請求項１記載の内視鏡用注射具。
【請求項４】
上記外套管に対する上記針部のストロークに比べて、上記外套管に対する上記送液チューブの手元側部分のストロークの方が長くとられている請求項１、２又は３記載の内視鏡用注射具。
【発明の詳細な説明】
【０００１】
【発明の属する技術分野】
この発明は、内視鏡の処置具挿通チャンネルを介して患者の体腔内に注射をするための内視鏡用注射具に関する。
【０００２】
【従来の技術】
内視鏡用注射具は、一般に、金属パイプ製の真っ直ぐな注射針を送液チューブの先端に接続して、処置具挿通チャンネル内に挿脱自在な外套管内の先端から注射針を突没できるように構成されている。
【０００３】
体腔内の患部に対して経内視鏡的に注射を行うためには、粘膜面に対してできるだけ垂直に近い正面方向から穿刺をしないと、針先が滑ってうまく穿刺できない場合が多い。
【０００４】
そこで従来は、外套管の先端部分に連結された操作ワイヤを手元側から牽引操作することにより、先端部分を屈曲させることができるようにしたものがある（特開平５−５７０２１号、特開平５−２５３１７９号）。
【０００５】
【発明が解決しようとする課題】
しかし、極めて細い内視鏡用注射具の先端部分を操作ワイヤの牽引操作によって短い距離で屈曲させるためには、極細の操作ワイヤを強い力で牽引しなければならないので、先端機構が破損し易いという問題がある。また手元側では、非常に微妙な操作が必要な注射操作と先端屈曲操作の両方を行わなければならないので、操作が複雑化して、正確な操作を行うのが困難である。
【０００６】
そこで本発明は、簡単な操作により患部に対して正面に近い方向から穿刺することができて、しかも耐久性があって低コストの内視鏡用注射具を提供することを目的とする。
【０００７】
【課題を解決するための手段】
上記の目的を達成するため、本発明の内視鏡用注射具は、先端部分付近に滑らかなカーブの湾曲部が形成された外套管と、上記外套管内に進退自在に挿通された可撓性と弾力性のある合成樹脂製チューブからなる送液チューブと、上記送液チューブの先端に形成された針部と、上記送液チューブ内に液体を送り込むために上記送液チューブの基端側に設けられた液体注入口とを設けたことを特徴とする。
【０００８】
なお、上記針部が、上記送液チューブの先端を切り削いで形成されていてもよい。
また、上記外套管の湾曲部が、先端側の曲率半径の小さな先側湾曲部と、その先側湾曲部より基端側の曲率半径の大きな基側湾曲部とからなるようにしてもよく、上記先側湾曲部と基側湾曲部の湾曲方向が同方向であってもよく、上記先側湾曲部と基側湾曲部の湾曲方向が逆方向であってもよい。
【０００９】
また、上記外套管に対する上記針部のストロークに比べて、上記外套管に対する上記送液チューブの手元側部分のストロークの方が長くとられていてもよい。
【００１０】
【発明の実施の形態】
図面を参照して本発明の実施の形態を説明する。
図１は内視鏡用注射具１０を示している。この注射具１０は、内視鏡又は超音波内視鏡等の処置具挿通チャンネル内に挿通して使用される。
【００１１】
図１に示されるように、この注射具１０においては、可撓性のある合成樹脂製のチューブからなる外套管１１内に、可撓性と弾力性のある合成樹脂製チューブからなる送液チューブ１２が進退自在に挿通されている。
【００１２】
送液チューブ１２は自然状態では真っ直ぐになるように形成されて、先端部分が細い径に絞られており、その先端を斜めに切り削いで針部１３が形成されている。
【００１３】
外套管１１には、先端部分付近に滑らかなカーブの曲がり癖が付けられており、その先端湾曲部１１ａは、自然状態においては、図１に示されるように予め付けられた曲がり癖通りの形状になる。
【００１４】
また外套管１１の先端内には、送液チューブ１２は通過しないが針部１３は通過する内径に形成されたストッパ２１が、例えば超音波溶着によって固着されていて、図２に示されるように、針部１３が外套管１１から突き出されるときのストッパになる。
【００１５】
外套管１１の材料としては、低密度ポリエチレン（硬度：ショアーＤ４１〜５０）、高密度ポリエチレン（硬度：ショアーＤ６０〜７０）、四フッ化エチレン（ＰＦＡ）（硬度：ショアーＤ６０〜６４）、ポリテトラフロロエチレン（ＰＴＦＥ）（硬度：ショアーＤ５０〜５６）等を用いることができる。ただし、金属製の密着巻きコイルパイプ等を用いてもよい。
【００１６】
送液チューブ１２は、先端が体腔壁に穿刺される針部１３になっているので、一定以上の硬さを必要とする。そこで、送液チューブ１２を形成する材料としては、例えば、ナイロン（硬度：ロックウェルＲ１０６〜１２０）、ポリプロピレン（硬度：ロックウェルＲ８０〜１１０）、ポリイミド樹脂（硬度：ロックウェルＲ１２９）等を用いることができる。ただし、必要に応じて、さらに硬い材料あるいは軟らかい材料を用いてもよい。
【００１７】
送液チューブ１２の基端に接続された内筒１４の他端側には、注射器等が接続可能な液体注入口金１５が形成されている。この内筒１４は、外套管１１の基端に接続された外筒１６内で軸線方向に進退自在である。
【００１８】
そして、外筒１６の内周側に装着されたＯリング１７が、内筒１４の外周面の２か所に形成されたクリック溝１８，１９のいずれかに係合することにより、内外両筒１４，１６間の相対的な位置決めが行われる。
【００１９】
図１は、Ｏリング１７が第１のクリック溝１８に係合していて、針部１３が外套管１１内に収納された状態を示しており、処置具挿通チャンネル２への挿脱はこの状態で行われる。
【００２０】
図２は、Ｏリング１７が第２のクリック溝１９に係合していて、針部１３が外套管１１の先端から所定の長さだけ突出した状態を示しており、患部への注射はこの状態で行われる。
【００２１】
なお、このときの針部１３部分のストロークＬ１に対して、内筒１４のストローク（即ち、二つのクリック溝１８，１９間の距離）Ｌ２の方を少し長くとってある。
【００２２】
したがって、針部１３の基部がストッパ２１に当接するまで送液チューブ１２を押し出して、外套管１１の先端から常に一定の長さだけ針部１３を突き出すことができるだけでなく、針部１３を患部に突き刺したとき、送液チューブ１２が圧縮されにくいので、針部１３の突出状態を維持することができる。
【００２３】
このように形成された注射具１０は、図３に示されるように、例えば超音波内視鏡５０の処置具挿通チャンネル２に挿通されて、針部１３が体腔内壁に穿刺され、手元側の液体注入口金１５に接続された注射器（図示せず）から送り出される薬液が、送液チューブ１２を通って患部１００に注射される。
【００２４】
この時、外套管１１の先端部分が真っ直ぐであれば針部１３は図３に示されるＸ方向に突出されるが、外套管１１の先端部分に先端湾曲部１１ａが形成されているので、光学視野範囲Ａ及び超音波走査範囲Ｂの中心付近において、針部１３を患部１００に対してほぼ正面から穿刺することができる。
【００２５】
また、図４に示されるように、外套管１１の先端湾曲部１１ａの湾曲の程度を強めることにより、近接した距離における患部１００に対しても、光学視野範囲Ａ及び超音波走査範囲Ｂの中心付近において正面から穿刺することができる。
【００２６】
図５及び図６は、上部消化管用内視鏡５１及び大腸用内視鏡５２に本願発明の注射具１０を用いた状態を示しており、目的に応じて先端湾曲部１１ａの長さと角度を設定することにより、各部において患部１００を正面から穿刺して薬液を注射することができる。
【００２７】
図７ないし図１０は、外套管１１の先端に先端湾曲部１１ａを形成するだけでなく、先端湾曲部１１ａが内視鏡５３の先端４から突出した状態のときに内視鏡５３の湾曲部３に位置する部分１１ｂになだらかなカーブを形成したものであり、ここでは、そのカーブの曲率半径の方が先端湾曲部１１ａの曲率半径より大きくなっている。
【００２８】
このように形成することにより、外套管１１のカーブ部分１１ｂが内視鏡５３の湾曲部３内の処置具挿通チャンネルのカーブに沿うように、外套管１１の向きが規制される。
【００２９】
図７に示される実施の形態においては、外套管１１の、内視鏡５３の湾曲部３に位置する部分１１ｂと先端湾曲部１１ａとが同方向に曲げられているので、図８に示されるように、内視鏡５３の湾曲部３の湾曲方向と同方向に針部１３を突出させることができる。
【００３０】
また、図９に示される実施の形態においては、外套管１１の、内視鏡５３の湾曲部３に位置する部分１１ｂと先端湾曲部１１ａとが逆方向に曲げられているので、図１０に示されるように、内視鏡５３の湾曲部３の湾曲方向と逆方向に針部１３を突出させることができる。
【００３１】
【発明の効果】
本発明によれば、先端に針部が形成された送液チューブを外套管内に進退自在に配置して、外套管の先端部分を滑らかに屈曲形成したことにより、外套管の屈曲方向に針を突出させることができるので、簡単な操作で患部を正面から穿刺することができ、しかも耐久性があって低コストで製造することができる。
【図面の簡単な説明】
【図１】本発明の第１の実施の形態の内視鏡用注射具の側面断面図である。
【図２】本発明の第１の実施の形態の内視鏡用注射具の針が突出した状態の側面断面図である。
【図３】本発明の第１の実施の形態の内視鏡用注射具の使用状態の斜視図である。
【図４】本発明の第１の実施の形態の内視鏡用注射具の第２の使用状態の斜視図である。
【図５】本発明の第１の実施の形態の内視鏡用注射具の第３の使用状態の斜視図である。
【図６】本発明の第１の実施の形態の内視鏡用注射具の第４の使用状態の斜視図である。
【図７】本発明の第２の実施の形態の内視鏡用注射具の外套管の側面図である。
【図８】本発明の第２の実施の形態の内視鏡用注射具の使用状態の側面断面図である。
【図９】本発明の第３の実施の形態の内視鏡用注射具の外套管の側面図である。
【図１０】本発明の第３の実施の形態の内視鏡用注射具の使用状態の側面断面図である。
【符号の説明】
１０  内視鏡用注射具
１１  外套管
１１ａ  先端湾曲部
１２  送液チューブ
１３  針部
１５  液体注入口金
【図１】
0003732897.tif 000002
【図２】
0003732897.tif 000003
【図３】
0003732897.tif 000004
【図４】
0003732897.tif 000005
【図５】
0003732897.tif 000006
【図６】
0003732897.tif 000007
【図７】
0003732897.tif 000008
【図８】
0003732897.tif 000009
【図９】
0003732897.tif 000010
【図１０】
0003732897.tif 000011